(57)【要約】【課題】ＩＶＲが利用される局面が多くなっているが、執刀する医師は、被ばくの機会が増えている。特に指先は、高度な作業を行うため、作業性と放射線遮蔽性のバランスを考慮した手段がなかった。【解決手段】タングステンを含有するエラストマーで構成され、指先が挿入されるキャップ部を有する放射線遮蔽指サックは、可撓性に優れ、指全体を包む構造ではないので、作業性に富む。一方、放射線の遮蔽力は、市販の鉛手袋より高い。したがって、ＩＶＲを行う医師の指先を放射線から保護するのに好適に利用できる。【選択図】図２
2019211258.tif 000002
【特許請求の範囲】
【請求項１】
タングステンを含有するエラストマーで構成され、
指先が挿入されるキャップ部を有する放射線遮蔽指サック。
【請求項２】
前記キャップ部に連続して延設されたガード部を有する請求項１に記載された放射線遮蔽指サック。
【請求項３】
前記キャップ部の一部に厚みが薄い若しくは開口している増感部が形成されている請求項１または２の何れかの請求項に記載された放射線遮蔽指サック。
【請求項４】
前記指サックの密度は、６．０Ｍｇ／ｍ３から１２．０Ｍｇ／ｍ３である請求項１乃至３の何れかの一の請求項に記載された放射線遮蔽指サック。
【発明の詳細な説明】
【技術分野】
【０００１】
本発明は、放射線下で医療行為に従事する医療従事者の指先を放射線から保護する放射線遮蔽指サックに関するものである。
【背景技術】
【０００２】
従来より、放射線を扱う医師や看護師、Ｘ線技術者等（以後「医療従事者と呼ぶ」）は、被ばくの機会が多い。例えば、Ｘ線写真を撮影する際には、対象が子供の場合や、動物の場合は、撮影時に動かないように押さえておく必要がある。また、近年では、ＩＶＲ（Ｉｎｔｅｒｖｅｎｔｉｏｎａｌ  Ｒａｄｉｏｌｏｇｙ：画像下治療）を行う局面も増えてきている。この治療では、放射線によって透視しながら治療を行うもので、少なくとも穿孔といった作業は行われる。
【０００３】
このような場合、患者の被ばく量は非許容量以下に抑えられるように努められる。しかし、医療従事者は日々このような作業を行うため、被ばく量が多くなる傾向にある。したがって、このような治療に従事する医療従事者は、放射線遮蔽手段を講じる必要がある。
【０００４】
胸部や下肢部は、鉛入りエプロンといった用具がある。また、眼の水晶体を防護するゴーグル、体幹部や甲状腺などを防護するため血管撮影装置で吊り下げ式鉛透明衝立や寝台に取り付けるドレープなどが使用されている。しかし、手先は直接作業を行っている部分であり、遮蔽しにくい部分である。したがって、手先の被ばく量は比較的多くなる。
【０００５】
手先の被ばくを抑制する方法として、放射線の遮蔽材として実績のある鉛を用いた手袋で、手指被ばくを４４％低減したという報告がされている（非特許文献１）。しかし鉛を用いた手袋は、可撓性に乏しく作業効率が著しく阻害される。また、鉛は有害でもある。
【０００６】
そこで、より作業性に富む手先の保護用具として、特許文献１には、タングステン粉末を含有する天然ゴムラテックスの分散液を用いた浸漬法により６０〜１００ｋＶｐの電圧で生じるＸ線の５０〜８０％を吸収できる放射線保護手袋が開示されている。タングステン粉末は放射線を吸収することができ、指先の被ばくを緩和することができる。
【０００７】
特許文献２にもタングステンの含有割合を高くした手袋が開示されている。この手袋は粒状タングステンを含むシートを一対の手袋形状に切り出し、それを貼り合わせることで形成している。
【０００８】
特許文献３にもタングステンを含む手袋が開示されている。ここでは、タングステンの割合を高くすると、タングステン粒子の沈降が起こり、遮蔽性が劣化するという課題を取り上げている。そして、タングステン粉末を高粘度の樹脂エマルジョンに分散させるとタングステン粒子が沈降しないという知見を得て、タングステン含有量の高い手袋を完成させている。
【先行技術文献】
【特許文献】
【０００９】
【特許文献１】米国特許第５００１３５４号
【特許文献２】特表平０６−５１１３１５号公報
【特許文献３】特開２００１−１２４８９２号公報
【非特許文献】
【００１０】
【非特許文献１】Ｎｉｃｋｏｌｏｆｆ，  Ｅｄｗａｒｄ  Ｌ．；  ＲＡＤＩＡＴＩＯＮ  ＤＯＳＥＳ  ＤＵＲＩＮＧ  ＣＴ  ＦＬＵＯＲＯＳＣＯＰＹ  Ｄｅｃｅｍｂｅｒ  ２０００  −  Ｖｏｌｕｍｅ  ７９  −  Ｉｓｓｕｅ  ６  −  ｐｐ  ６７５−６８１
【発明の概要】
【発明が解決しようとする課題】
【００１１】
特許文献１乃至３による放射線遮蔽手袋は手首より先を覆う形状をしているので、手全体を放射線から遮蔽することができる。しかし、指全体を覆っているので、穿孔を行う、糸を結ぶといった細かな作業は行いにくい。鉛含有手袋は、厚み自体が厚く、可撓性が乏しいためである。
【００１２】
また、医療用としては、一度患者の体液が付着した手袋を再利用することはできない。特に特許文献に開示された手袋はゴム中にタングステン粒子を分散させたものなので、基本的に呼吸を行う樹脂（ゴム）が基材となっている。したがって、一度付着したタンパク質を完全に除去することはできない。
【００１３】
一方、タングステンは決して廉価な材料ではないので、タングステン含有手袋を使い捨てにするのは経済的な観点から現実的ではない。
【課題を解決するための手段】
【００１４】
本発明は上記の課題に鑑みて想到されたものであり、放射線の遮蔽範囲は手袋ほどではないにしても、細かい作業性を確保しつつ、指先の被ばく量を軽減させる指サックである。
【００１５】
より具体的に本発明に係る放射線遮蔽指サックは、
タングステンを含有するエラストマーで構成され、
指先が挿入されるキャップ部を有することを特徴とする。
【発明の効果】
【００１６】
本発明に係る放射線遮蔽指サックは、キャップ部に指の末節（末節骨部分）が挿入され、キャップ部が基節に相当する部分にまで及ばないので、指の第１関節の動きを妨げることがない。結果、指の可動域が広く作業性が向上する。
【００１７】
また、本発明に係る放射線遮蔽指サックは、キャップ部にガード部を延設させることができるので、指の動きを妨げることなく、放射線遮蔽領域を広げることもできる。
【００１８】
また、本発明に係る放射線遮蔽指サックは、指の末節が挿入されるキャップ部の指腹に当たる部分に、厚みが薄い若しくは開口（貫通孔）が開いている増感部が形成されているので、手術用手袋を介しても指先の感覚を妨げにくい。したがって、放射線を遮蔽しつつ細かな作業を行うことができる。
【００１９】
また、本発明に係る放射線遮蔽指サックは、指先およびその周辺を遮蔽するので、その上に手術用手袋を装着することができる。結果、放射線遮蔽指サック自体が患者の体液に触れることがなく、長期間にわたって、再利用することができる。
【００２０】
また、放射線遮蔽指サックは手首から先全体を覆うものではないので、可動域が広く、指を動かすことに支障がない。
【図面の簡単な説明】
【００２１】
【図１】本発明に係る指サックを示す図である。
【図２】指サックの変形例を示す図である。
【図３】指サックの他の変形例を示す図である。
【図４】実施例で作製した指サックの外形と装着した状態を示す図である。
【図５】実施例で作製した指サックのＸ線遮蔽率を測定するための構成を示す図である。
【図６】実施例で作製した指サックのＸ線遮蔽率の測定結果を示すグラフである。
【図７】実施例で作製した指サックを実際のアンギオグラフィを用いた場合の放射線遮蔽能力について測定する構成を示す図である。
【図８】アンギオグラフィでの透視モードおよび撮影モードにおけるＸ線遮蔽率の測定結果を示すグラフである。
【発明を実施するための形態】
【００２２】
以下に本発明に係る放射線遮蔽指サックについて図面および実施例を示し説明を行う。なお、以下の説明は、本発明の一実施形態および一実施例を例示するものであり、本発明が以下の説明に限定されるものではない。以下の説明は本発明の趣旨を逸脱しない範囲で改変することができる。  
【００２３】
図１（ａ）に本発明に係る放射線遮蔽指サック（以下単に「指サック」と呼ぶ。）の外観を示す。また、図１（ｂ）には、図１（ａ）のＡ−Ａ断面図を示す。指サック１は、キャップ部１０（図２（ａ）参照）を有する。キャップ部１０は、開口１０ａと、閉鎖された奥１０ｂを有する袋形状に成型されている。キャップ部１０は開口１０ａから、使用者の指の末節（ほぼ指頭から第１関節までの間）が挿入される。キャップ部１０の側壁１０ｃは、全て塞がっている。つまり、キャップ部１０の外部から側壁１０ｃを貫通してキャップ部１０の内側には行けない。なお、後述する本発明のバリエーションでは、キャップ部１０の側壁１０ｃに貫通孔が設けられる場合もある。
【００２４】
指サック１は、このように指の末節が挿入されて利用される。したがって、指の第１関節の動きを拘束しない。結果、指先の動きがスムーズになり、細かい作業も行うことができる。
【００２５】
図１（ｂ）には、図１（ａ）のＡ−Ａ断面を示す。指サック１は、指腹の位置で厚みｔ１が他の部分ｔ０よりも薄く成形されている若しくは開口（貫通孔）が開いている増感部１２を有していてもよい。増感部１２の範囲は、他の厚みの１／２乃至１／５の薄さが好適である。指腹の部分に増感部１２が成型されているので、物に触れた時の感触が指先に伝わりやすく、細かい作業が容易になる。
【００２６】
このような指サック１は、以下のような工程で作製される。まず、基材となるエラストマー成分と、タングステン粉末およびタングステン化合物粉末の少なくとも一方の粉末（以下「タングステン粉末等」と呼ぶ。）を含む原料を混合分散して混合原料を得る。得られた混合原料を成型し、架橋することで、本発明に係る指サック１を得る。なお、混合原料を架橋したものを「放射線遮蔽材」と呼ぶ。本発明に係る指サック１は、指サック形状に成型された放射線遮蔽材と言ってもよい。
【００２７】
以下原料および各工程を説明する。
＜原料＞
原料は、タングステン粉末等と、エラストマー成分を含む。また、原料には、軟化剤と各種配合剤および添加剤が含められてもよい。
【００２８】
（１）タングステン粉末等
最終製品である指サック１の密度は、６．０Ｍｇ／ｍ３から１２．０Ｍｇ／ｍ３に設定される。この範囲にあることで成型しやすく、且つ放射線吸収量を大きくし放射線遮蔽性能を高めることが可能である。このとき使用するタングステンは粉末形状とすることで、加工性や成型性が良好になる。
【００２９】
また、指サック１の密度を上記の範囲に調整するのは、密度が６．０Ｍｇ／ｍ３未満であると、Ｘ線やγ線の遮蔽能力が十分ではなく、必要な遮蔽能力を得るためには放射線遮蔽材（指サック１）の厚みを増やさなければならない。逆に放射線遮蔽材の密度が１２．０Ｍｇ／ｍ３より高くしようとすると、タングステン粉末等の添加量を更に増加させる必要があり、このため混練り及び成型が困難になり、また適当な弾性を得ることができなくなる。
【００３０】
（２）エラストマー成分
エラストマー成分としては、天然ゴム、合成ゴムを含む加硫ゴム、またはスチレン系、オレフィン／アルケン系、塩ビ系、ウレタン系、アミド系といった熱可塑性エラストマーが好適に利用できる。合成ゴムとしては、イソプレンゴム、スチレンブタジエンゴム、ブタジエンゴム、エチレンプロピレン三元共重合体、ブチルゴム、クロロプレンゴム、クロロスルホン化ポリエチレン、ニトリルゴム、ウレタンゴム、シリコーンゴム、アクリルゴム、フッ素ゴム等が挙げられる。
【００３１】
（３）軟化剤
軟化剤は、成型物の硬度の低下を目的として使用される添加剤であり、この軟化剤には可塑剤も含まれる。軟化剤としては、例えば、鉱物油系軟化剤、植物油系軟化剤、合成可塑剤を挙げることができ、特に、鉱物油系軟化剤は、芳香族系、ナフテン系、パラフィン系のものがある。
【００３２】
（４）各種配合剤および添加剤
本発明に係る放射線遮蔽指サック１は原料として公知の劣化防止剤、架橋反応に必要な架橋剤や加硫促進剤、酸化亜鉛やステアリン酸などの架橋促進助剤、フェノール系やアミン系、キノン系などの老化防止剤、炭酸カルシウム系やクレー系、硫酸バリウム系などの充填剤、カーボンブラック系やシリカ系、表面処理炭酸カルシウム系などの補強剤、脂肪酸エステルなどの加工助剤、その他発泡剤、難燃剤、粘着付与剤を適宜配合剤若しくは添加剤として利用することができる。
【００３３】
＜混合分散＞
上記に説明した原料のうち、少なくともエラストマー成分と、軟化剤と、タングステン粉末等は、必須の原料である。したがって、少なくともエラストマー成分と、軟化剤と、タングステン粉末等は一度に混合分散される。なお混合分散の最初から配合剤を原料に含めてもよい。また、添加剤は混合分散の最後に添加してもよい。
【００３４】
混合分散は、二本ロール、ニーダー類、バンバリーミキサーといった公知の分散機をも用いることができる。また、これらを組み合わせて混合分散を行ってもよい。特に、好ましい方法は二本ロールである。混合分散された原料を「混合原料」と呼ぶ。
【００３５】
＜成型および架橋＞
本発明に係る放射線遮蔽指サック１は、混合原料を、金型に充填し所定の形状に形作ることで成型される。成型された遮蔽材は３次元的な構造を有している。これは確実な放射線遮蔽のためには遮蔽材はシームレスに成型するのが望ましいからである。なお、指サックは金型への１回の充填によって成型が完了するのが望ましい。しかし、指サック１を複数のパーツに分けて金型成型し、あとから繋ぎ合わせてもよい。なお、ここで金型への充填とは、インジェクション成型、トランスファー成型、コンプレッション成型のいずれであってもよい。
【００３６】
所定の形状に成型された指サック１は、温度範囲を１２０℃以上１８０℃以下とし、１０分以上６０分以下の熱処理によって架橋する。以上の材料および工程によって本発明に係る放射線遮蔽指サック１を得ることができる。
【００３７】
図２を参照する。図２には、本発明に係る放射線遮蔽指サック１の変形例を示す。図２（ａ）の指サック２には、キャップ部１０から短冊状のガード部２０が延設されている。ガード部２０は、少なくとも、指において、手の甲側を覆う程度の幅２０ｗを有する。また、ガード部２０は、指の中節から基節に至る範囲までの長さ２０Ｌを有する。
【００３８】
このように、指の背側にガード部２０を設けることで、放射線遮蔽の範囲が広がる。ガード部２０は、指の中節から基節にまでかかる大きさを有しているが、指サック２を指に装着したうえで、手術用手袋を装着すると、ガード部２０は、指と密着し、指の動きに追従する。
【００３９】
なお、指サック２にも増感部１２が形成されていてよい。指サック２の場合は、増感部１２は、ガード部２０側に設けられていてもよい（図２（ｂ）参照）。ＩＶＲの場合は、放射線は下方から照射される場合もあるからである。
【００４０】
さらに、増感部１２は、貫通孔としてもよい。指先の感触が必要な術式を行う場合は、膜厚を薄くすることでも足りない場合があるからである。なお、増感部１２を貫通孔とするのは、前の図である図１および次の図である図３においても適用することができる。
【００４１】
図３は、指の腹側と背側の両方にガード部２０およびガード部３０が配置されている場合の指サック３を示す。指サック３では、ガード部２０およびガード部３０が指腹側と、背側に設けられている。なお、ガード部２０およびガード部３０は、キャップ部１０とは連続しているが、互いに側部で接合されていない。ガード部２０とガード部３０の間には、隙間２５がある。したがって、指サック３を装着しても指の動きを妨げることはない。
【００４２】
なお、ガード部２０およびガード部３０は同じ大きさでなくてもよく、同じ厚みでなくてもよい。また、増感部１２は指サック３に設けられていてもよい。
【実施例】
【００４３】
以下に本発明に係る放射線遮蔽指サックの実施例について説明する。実施例は、以下の３点について行った。それぞれ実施例Ａ、実施例Ｂ、実施例Ｃとする。
＜実施例Ａ＞  放射線遮蔽指サックの放射線遮蔽能力。
＜実施例Ｂ＞  アンギオグラフィ使用下での放射線遮蔽能力。
＜実施例Ｃ＞  実際のＩＶＲ検査での放射線遮蔽能力。
【００４４】
＜実施例Ａ＞
以下の材料を原料として、放射線遮蔽指サックを作製した。
【００４５】
エラストマー成分
第１高分子成分  ＥＰＤＭ    ８０重量部
第２高分子成分  ブチルゴム  ２０重量部
タングステン粉末          １８００重量部
軟化剤                        ３０重量部
補強剤（カーボンブラック）    １０重量部
酸化亜鉛                        ５重量部
ステアリン酸                    １重量部
加工助剤                        １重量部
老化防止剤                      ２重量部
紫外線吸収剤                    １重量部
加硫剤                      ６．５重量部
合計                    １９５６．５重量部
【００４６】
基材となるエラストマー成分として、第１高分子成分（ＥＰＤＭ）は、住友化学株式会社製のエスプレン５０５Ａを用いた。第２高分子成分としては、ＪＳＲ株式会社製ブチルゴムＩＩＲ＃２６８を用いた。
【００４７】
タングステン粉末は日本新金属株式会社製のタングステン粉末Ｗ−６を用いた。
【００４８】
軟化剤は出光興産株式会社製ＡＨ−１６（ゴムプロセスオイル）を用いた。
【００４９】
補強剤としてカーボンブラックを用いた。使用したカーボンブラックは、旭カーボン株式会社製の旭＃７０である。
【００５０】
架橋促進助剤として、酸化亜鉛、ステアリン酸を用いた。酸化亜鉛は、正同化学工業株式会社製の酸化亜鉛２種である。ステアリン酸は日油株式会社製のビーズステアリン酸つばきである。
【００５１】
加工助剤は、川口化学工業株式会社のエクストンＫ−１である。老化防止剤は、大内新興化学工業株式会社製のノクラック２２４およびノクラックＡＤをそれぞれ１重量部ずつ、合計２重量部用いた。
【００５２】
紫外線吸収剤は、共同薬品の紫外線吸収剤バイオソープ１００である。加硫剤は、鶴見化学工業株式会社のサルファックスＰＳ及び、大内新興化学工業製のノクセラーシリーズから使用した。
【００５３】
これらの原料を二本ロール用いて混合分散させ、金型内に充填し、１６０℃、２０分間加硫成型した。作製した放射線遮蔽指サックの形状と外観等を図４に示す。図４（ａ）は、放射線遮蔽指サックのサイズである。図４（ａ）の（ア）を平面図、（イ）を側面図とする。形状は図２に示したタイプである。ただし、この放射線遮蔽指サックには増感部１２は形成されていない。以後、本実施例で用いる放射線遮蔽指サックを指サック２と呼ぶ。
【００５４】
指サック２は、全長６５ｍｍ、ガード部２０の長さは４０ｍｍである。したがって、キャップ部１０の長さは２５ｍｍである。平面視した幅は２０ｍｍで、側面視の高さが１５ｍｍであるので、幾分扁平した形状をしている。
【００５５】
指サック２の厚みは、０．５ｍｍ、重量は、９．０ｇ、密度は、７．６Ｍｇ／ｃｍ３、硬さは、７７（Ｔｙｐｅ−Ａデュロメータ測定値）、引張強さは、４．５ＭＰａ、伸びは、４００％である。また上記の組成で作製した放射線遮蔽材の鉛当量については、ガンマ線で放射線遮蔽材が５．２３ｍｍの時、３．３２ｍｍである。
【００５６】
図４（ｂ）は、ヒトの第２指に指サック２を装着した状態を平面視した写真である。ガード部２０は、指腹方向になるように装着した状態を示している。図４（ｃ）は、側面視した状態である。また、指を曲げている状態を示している。指サック２は、曲げた指に追従して変形しているのがわかる。ガード部２０は、基節まで及んでいる。
【００５７】
図４（ｄ）は、第４指に指サック２を装着した状態で、手術用手袋を装着した様子を示す写真である。本発明に係る指サック２は薄く、手術用手袋によって指に密着するので、指の動きを妨げることはない。
【００５８】
図５（ａ）に指サック２のＸ線遮蔽率の測定方法を示す。図５（ｂ）は一部拡大図である。線源となるＸ線管球４０は、診断領域で使用している（０．６／１．２Ｐ３２４ＤＫ−８５，ＳＨＩＭＡＤＺＵ，Ｋｙｏｔｏ，Ｊａｐａｎ）を使用した。また、線量計４５は非接続形Ｘ線出力アナライザ（商品名Ｐｉｒａｎｈａ，ＲＴＩ  Ｅｌｅｃｔｒｏｎｉｃｓ社製，Ｍｏｌｎｄａｌ，Ｓｗｅｄｅｎ）を使用した。以後の実施例においても線量計はこれを使用した。
【００５９】
この線量計４５は、測定精度が基準測定器と同程度であるため、一般撮影領域の管電圧、線量、半価層について基準線量計の代用として安全、簡易に使用できる。また、この線量計４５は、Ｘ線発生装置のＸ線管負荷が少なく不変性試験などの出力管理も行うことが可能である。測定プローブ４６は最も高感度のＤｏｓｅ  ｐｒｏｂｅ線量プローブを使用した。
【００６０】
測定プローブ４６をＸ線管球４０の直下１２０ｃｍの場所に配置した。また、指サック２を測定する際には、図５（ｂ）に示すように、測定プローブ４６に指サック２をかぶせて測定した。管電圧を６０、８０、１００、１２０ｋＶに変化させて、管電流２００ｍＡ、照射時間４０ｍＡ、の条件で、指サック２の有無について空気カーマ（ｍＧｙ／ｍ）を５回測定した。５回測定の平均値より指サック２の有無におけるＸ線遮蔽率（ＸＳＲ：Ｘ−ｒａｙ  Ｓｈｉｅｌｄｉｎｇ  Ｒａｔｅ）を次の（１）式より求めた。
【００６１】
【数１】
2019211258.tif 000003
【００６２】
ここで、「Ｄ０」は防護具未使用時の空気カーマ（線量）であり、「Ｄ」は防護具使用時の空気カーマ（線量）である。また、市販の０．０３鉛等量の医療用鉛手袋についても同様に計測を行い比較した。
【００６３】
測定結果を図６に示す。図６を参照して、横軸は管電圧（ｋＶ）であり、縦軸はＸ線遮蔽率（％）である。黒丸（●）は指サック２の場合であり、黒四角（■）は、市販の医療用鉛手袋である。
【００６４】
管電圧を６０−１２０ｋＶに変化させた時の指サック２のＸ線遮蔽率は、それぞれ９８．０±０．０３％、９４．８±０．０５％、９２．３±０．１２％、９０．１±０．０３％であった。また、市販の医療用鉛手袋のＸ線遮蔽率は、それぞれ６９．８±０．３９％、６１．０±０．５３％、５２．３±０．５２％、４７．０±０．６９％であった。
【００６５】
＜実施例Ｂ＞
実際のアンギオグラフィを用いた放射線遮蔽指サックの放射線遮蔽能力について調べた。実験の配置について、図７（ａ）に示す。図７（ｂ）は、一部拡大図である。アンダーチューブ型のＣ−ａｒｍ  ｄｉｇｉｔａｌ  ａｎｇｉｏｇｒａｐｈｙ  ｓｙｓｔｅｍ  （ＡＸＩＯＭ−Ａｒｔｉｓ  ｄＦＣ  ，  Ｓｉｅｍｅｎｓ  Ｅｒｌａｎｇｅｎ  ，  Ｇｅｒｍａｎｙ）を使用し、透過モードと撮影モードの２モードで検討を行った。
【００６６】
図７（ａ）を参照して、カウチ（患者用ベッド）５２の下方６００ｍｍにＸ線の線源５４が配置されている。カウチ５２の上には、患者と見立てるファントム５６が載置される。また、カウチ５２から３００ｍｍのところに、平面検出器５８が配置されている。
【００６７】
患者を想定してカウチ５２上に配置した４つの水等価ファントム５６の個々のサイズは、３００ｍｍ（ｌｅｎｇｔｈ）×３００ｍｍ（ｗｉｄｔｈ）×５０ｍｍ（ｈｅｉｇｈｔ）であり、Ｔｏｔａｌの厚みは、２００ｍｍである。
【００６８】
線源５４であるＸ線管球のフィルタは０．３ｍｍＣｕであり、線源５４−平面検出器５８の距離は９００ｍｍである。カウチ５２は、モンテカルロシミュレーションにおいて、０．８６ｍｍアルミニウム等量である。照射野サイズは、１８０×１８０ｍｍ、透視モードでは、１５フレーム／秒で、１フレームあたりのパルス幅は３．９ｍｓである。また、撮影モードでは、１５フレーム／秒で、１フレームあたりのパルス幅は７．５ｍｓである。
【００６９】
線量計４５を用いて、空気カーマ（ｍＧｙ／ｍ）を５回測定し、その平均値より指サック２の有無においてＸ線遮蔽率（％）を求めた。また、測定位置については実際の作業者の手指位置と想定されるアイソセンター（ｉｓｏｃｅｎｔｅｒ：放射線の照射中心）から２００ｍｍの位置で測定を行った。また市販の医療用鉛手袋についても同様に計測を行った。手指被ばく線量のＸ線遮蔽率（％）については、（１）式を用いて求めた。表１に実験時の条件を示す。
【００７０】
【表１】
2019211258.tif 000004
【００７１】
測定結果を図８に示す。図８を参照して、横軸は透視モードと撮影モードの違いを示し、縦軸はＸ線遮蔽率（％）である。黒丸（●）は指サック２の場合であり、黒四角（■）は、市販の医療用鉛手袋である。
【００７２】
透視モードにおけるアイソセンターから２００ｍｍ離れた位置での指サック２と市販の医療用鉛手袋のＸ線遮蔽率は、それぞれ９１．３±０．２１％、５６．５±０．５８％であった。また、撮影モードにおけるアイソセンターから２００ｍｍ離れた位置での指サック２と市販の医療用鉛手袋のＸ線遮蔽率は、それぞれ９６．５±０．０４％、６７．６±０．３３％であった。
【００７３】
＜実施例Ｃ＞
次に実際に術者が指サック２を装着して、Ｘ線遮蔽率を調べた。ＩＶＲ検査装置として、Ｉｎｎｏｖａ  ４１００  ＩＱ  （ＧＥ  Ｈｅａｌｔｈｃａｒｅ，  Ｂｕｃｋｉｎｇｈａｍｓｈｉｒｅ，  Ｅｎｇｌａｎｄ）を用いた。
【００７４】
ＩＶＲ検査を行う放射線科医の左手の第４指に本発明に係る指サック２を装着して、防護されていない第３指と指サック２で防護されている第４指に線量計測用ガラスリング（千代田テクノル，Ｔｏｋｙｏ，Ｊａｐａｎ）を用いて術者皮膚の７０μｍ線量当量（以下、「Ｈ７０μｍ」とする。）を計測した。計測を行ったそれぞれの検査および透視時間、装置の表面吸収線量の値を表２に示す。また、測定結果を表３に示す。
【００７５】
【表２】
2019211258.tif 000005
【００７６】
肝動脈塞栓療法（ｔｒａｎｓｃａｔｈｅｔｅｒ  ａｒｔｅｒｉａｌ  ｅｍｂｏｌｉｚａｔｉｏｎ；ＴＡＥ）とは、多血性肝細胞癌を栄養する肝動脈内に経カテーテル的に塞栓物質を注入し、栄養動脈を塞栓することで腫瘍を阻血壊死に陥らせる手技である。
【００７７】
肝動脈化学塞栓療法（ｔｒａｎｓｃａｔｈｅｔｅｒ  ａｒｔｅｒｉａｌ  ｃｈｅｍｏｅｍｂｏｌｉｚａｔｉｏｎ；ＴＡＣＥ）とは、油性造影剤と抗癌剤の混合液の注入後に塞栓物質を注入する手法である。
【００７８】
ＣＶ（Ｃｅｎｔｒａｌ  Ｖｅｎｏｕｓ）ポートとは、様々な薬剤を注入するために皮膚の下に完全に埋め込んで使用する医療器材である。Ｘ線透視を使用して、通常、左右どちらかの前胸部（胸）に埋め込む手技である。
【００７９】
腹部造影は、透視下で腹部に挿入したカテーテルに造影剤を注入し、腹部の血管を描写する手技である。
【００８０】
【表３】
2019211258.tif 000006
【００８１】
指サック２で防護をされてない第３指のＨ７０μｍの値は、３．３ｍＧｙであり、指サック２で防護した第４指のＨ７０μｍの値は、２．０ｍＧｙであった。これより、指サック２による術者の手指被ばく線量の低減率は、３９．４％であった。
【００８２】
以上のことから、本発明に係る放射線遮蔽指サックは一般撮影装置で使用される、管電圧を６０−１２０ｋＶにおいて、市販の医療用鉛手袋と比較して高いＸ線遮蔽効果を有していた（図６）。これは、診断領域で用いられる管電圧が６０−１２０ｋＶの範囲において、タングステンは、鉛よりも線減弱係数が高く、減衰が大きいことが関係している。
【００８３】
したがって、上記の実施例で用いた厚み（０．５ｍｍ）よりさらに薄くすることもできる。厚みを薄くするのは、放射線遮蔽指サックの柔軟性向上とともに、術者の指先の感覚を残すことに寄与する。結果、術者の作業性が向上すると考えられる。
【００８４】
血管撮影装置においても、放射線遮蔽指サックは、透視および撮影両モードともアイソセンターから２００ｍｍ離れた位置でのＸ線遮蔽率が、市販の医療用鉛手袋より高いＸ線遮蔽効果を有していた（図８）。実際のＩＶＲ検査については、放射線遮蔽指サックで術者の手指を防護すると、術者の手指被ばく線量は、防護されていない時よりも３９．４％低減された。
【産業上の利用可能性】
【００８５】
本発明に係る放射線遮蔽指サックはＩＶＲ等の処置を行う際の医師の指先の被ばくを好適に抑制することができる。
【符号の説明】
【００８６】
１、２、３  指サック（放射線遮蔽指サック）
１０  キャップ部
１０ａ  開口
１０ｂ  奥
１０ｃ  側壁
１２  増感部
２０  ガード部
２０ｗ  幅
２０Ｌ  長さ
２５  隙間
３０  ガード部
【図１】
2019211258.tif 000007
【図２】
2019211258.tif 000008
【図３】
2019211258.tif 000009
【図４】
2019211258.tif 000010
【図５】
2019211258.tif 000011
【図６】
2019211258.tif 000012
【図７】
2019211258.tif 000013
【図８】
2019211258.tif 000014